(57)【特許請求の範囲】
【請求項１】
液体を収納する容器本体とその容器本体の口部に被着する透明なキャップとを備えたキャップ付き容器であって、キャップには周囲から縦方向に突き出るとともに内側がキャップ内部に繋がりかつキャップ内部に所定量の液体を入れた際に液体の上面が接触する平面部分を形成する中空の突条部分が設けられており、その突条部分で形成されている平面部分に計量目盛が付けられていることを特徴とするキャップ付き容器。
【請求項２】
中空の突条部分がキャップの対称位置に２つ設けられており、これらの突条部分で形成されている平面部分にそれぞれ計量目盛が付けられていることを特徴とする請求項１に記載のキャップ付き容器。
【発明の詳細な説明】
【技術分野】
【０００１】
本発明は、液体容器の技術分野に属し、詳しくは、計量カップの機能を有するキャップを用いたキャップ付き容器に関するものである。
【背景技術】
【０００２】
従来より、洗剤、柔軟剤、漂白剤等の液体を収納する容器として、軽量で任意形状のものが簡単に製造できることから、プラスチック製の容器本体と、その口部に被着されるプラスチック製のキャップとからなるキャップ付き容器が一般的に使用されており、目の洗浄液やうがい薬などの液体を収納する容器としても、プラスチック製のキャップ付き容器が使用されている。また、その他、各種の液体を収納する容器として、同様なキャップ付き容器が使用されている。そして、このようなキャップ付き容器の中には、中の液体を一定量ずつ小出しして使用するために、キャップに計量カップとしての機能を持たせたものもよく見られる。
【特許文献１】特開平９−７７１１１号公報
【特許文献２】特開２００１−２５３４５０号公報
【発明の開示】
【発明が解決しようとする課題】
【０００３】
上記したようなキャップ付き容器は、キャップを計量カップとして利用するために、通常はキャップ自体を透明としたり、さらには透明なキャップの周囲に計量目盛を付したりしている。しかしながら、このタイプのキャップは容器本体に対して螺合により被着することから丸い筒状になっており、このため、キャップの中に入れた液体の上面は横から透かして見ると真っ直ぐになっておらず、せっかく計量目盛があっても正確に計りにくいという問題がある。
【０００４】
本発明は、このような問題点に鑑みてなされたものであり、その目的とするところは、液体の量を正確に計ることができるキャップを備えたキャップ付き容器を提供することにある。
【課題を解決するための手段】
【０００５】
請求項１に記載の発明であるキャップ付き容器は、液体を収納する容器本体とその容器本体の口部に被着する透明なキャップとを備えたキャップ付き容器であって、キャップには周囲から縦方向に突き出るとともに内側がキャップ内部に繋がりかつキャップ内部に所定量の液体を入れた際に液体の上面が接触する平面部分を形成するた中空の突条部分が設けられており、その突条部分で形成されている平面部分に計量目盛が付けられていることを特徴としている。
【０００６】
請求項２に記載の発明であるキャップ付き容器は、請求項１に記載のキャップ付き容器において、中空の突条部分がキャップの対称位置に２つ設けられており、これらの突条部分で形成されている平面部分にそれぞれ計量目盛が付けられていることを特徴としている。
【発明の効果】
【０００８】
本発明のキャップ付き容器は、周囲から縦方向に突き出るとともに内側がキャップ内部に繋がりかつキャップ内部に所定量の液体を入れた際に液体の上面が接触する平面部分を形成する中空の突条部分を設け、その突条部分で形成されている平面部分に計量目盛を付けたキャップを有しているので、容器本体に収納した液体をキャップに入れて小分けする時に、キャップ内部に入れた液体の上面が突条部分にある計量目盛に沿った見やすい状態になることから、計量目盛に合うように量を調整することにより所定の量を正確に計ることができる。また、キャップを手で外したり締めたりする時に、その周囲にある突条部分が滑り防止の役目を果たすので回しやすいという利点もある。
【発明を実施するための最良の形態】
【０００９】
次に、本発明の実施の形態について図面を参照しながら詳細に説明する。
【００１０】
図１は本発明に係るキャップ付き容器の一例を示す斜視図、図２は図１に示すキャップ付き容器のキャップを裏返し状態で示す斜視図、図３は図１に示すキャップ付き容器の容器本体を示す斜視図である。
【００１１】
このキャップ付き容器Ａ1 は、液体を収納する容器本体１０とその口部１１に被着される透明なキャップ２０とを備えている。容器本体１０とキャップ２０はそれぞれプラスチック成形品であり、キャップ２０はその周囲の外筒部分２１により容器本体１０の口部１１に対して螺合により被着されるようになっている。すなわち、容器本体１０の口部１１には外周に雄ねじ１１ａが設けられ、キャップ２０の外筒部分２１には内周に雌ねじ２１ａが設けられている。
【００１２】
キャップ２０には、周囲に縦方向に突き出た中空の突条部分２２が設けられている。そして、この突条部分２２の内側はキャップ内部Ｂ1 と繋がっており、キャップ内部Ｂ1 に入れた液体は突条部分２２の内部にも入るようになっている。また、この突条部分２２の外面には計量目盛αが付けられている。なお、図では計量目盛αが一箇所だけであるが、計るべき液体量が複数ある場合には、それらの液体量にそれぞれ対応して複数箇所に計量目盛を設けるようにする。
【００１３】
このキャップ付き容器Ａ1 から中の液体を所定量だけ取り出すには、容器本体１０からキャップ２０を取り外し、裏返したキャップ２０の中に容器本体１０から液体を注ぎ入れる。この時、キャップ内部Ｂ1 に入れた液体は突条部分２２の中にも入り込む。そして、キャップ内部Ｂ1 に入れた液体の上面が突条部分２２の計量目盛αに合うように量を調整することにより所定量の液体を入れることができる。この場合、キャップ内部Ｂ1 に入れた液体の上面が突条部分２２の計量目盛αに沿って見やすい状態になるので、液体の量を正確に計ることができる。
【００１４】
図４は容器本体の別の例を示すものであり、この容器本体１０では注ぎ口付きの中栓パーツ１２を口部１１に嵌め込んで取り付けている。この中栓パーツ１２には図示のような絞った形状の注ぎ口１２ａが設けてあるので、これを容器本体１０の口部１１に取り付けたタイプでは、液体を細い流れで注ぎだすことができ、液体をキャップ２０の中に注ぎ入れやすくなる。
【００１５】
図５は図１に示したキャップ付き容器の変形例を示す斜視図、図６は図５に示すキャップ付き容器のキャップを裏返し状態で示す斜視図である。なお、容器本体は図３又は図４に示したものと同様である。
【００１６】
このキャップ付き容器Ａ2 は、図１及び図２のキャップ付き容器Ａ1 と比べてキャップ２０の構成だけが異なっている。すなわち、キャップ２０には、周囲に縦方向に突き出た中空の突条部分２２が一つだけではなく、図示の如く対称位置に２つ設けられている。そして、これらの突条部分２２の内側はそれぞれキャップ内部Ｂ2 と繋がっており、キャップ内部Ｂ2 に入れた液体は双方の突条部分２２の内部にも入るようになっている。また、これらの突条部分２２の外面にはそれぞれ計量目盛αが付けられている。なお、図では計量目盛αが一箇所だけであるが、計るべき液体量が複数ある場合には、それらの液体量にそれぞれ対応して複数箇所に計量目盛を設けるようにする点については、図１及び図２のキャップ付き容器Ａ1 で述べたのと同じである。
【００１７】
このキャップ付き容器Ａ2 から中の液体を所定量だけ取り出すには、容器本体１０からキャップ２０を取り外し、裏返したキャップ２０の中に容器本体１０から液体を注ぎ入れる。この時、キャップ内部Ｂ2 に入れた液体は双方の突条部分２２の中にも入り込む。そして、キャップ内部Ｂ2 に入れた液体の上面が双方の突条部分２２のそれぞれの計量目盛αに合うように量を調整することにより所定量の液体を入れることができる。この場合、キャップ内部Ｂ2 に入れた液体の上面が突条部分２２の計量目盛αに沿った見やすい状態になるので、液体の量を正確に計ることができる。しかも、一方の突条部分２２だけを設けた場合に比べると、計量時の水平度を良好に保てるので、より正確に計ることができる。
【００１８】
図７は本発明に係るキャップ付き容器の参考例を示す斜視図、図８は図７に示すキャップ付き容器のキャップを裏返し状態で示す斜視図である。なお、容器本体は図３又は図４に示したものと同様である。
【００１９】
このキャップ付き容器Ａ3 は、液体を収納する容器本体１０とその口部に被着される透明なキャップ２０を取り付けている。容器本体１０とキャップ２０はそれぞれプラスチック成形品であり、前記したものと同様、キャップ２０はその周囲の外筒部分２１により容器本体１０の口部に対して螺合により被着されるようになっている。
【００２０】
キャップ２０には、周囲に面取り部分２３が設けられており、この面取り部分２３の外面には計量目盛αが付けられている。この計量目盛αが複数箇所に設けられる場合もあることは前記したとおりである。
【００２１】
このキャップ付き容器Ａ3 から中の液体を所定量だけ取り出すには、容器本体１０からキャップ２０を取り外し、裏返したキャップ２０の中に容器本体１０から液体を注ぎ入れる。そして、キャップ内部Ｂ3 に入れた液体の上面が面取り部分２３の計量目盛αに合うように量を調整することにより所定量の液体を入れることができる。この場合、キャップ内部Ｂ3 に入れた液体の上面が平らな面取り部分２３の計量目盛αに沿った見やすい状態になるので、液体の量を正確に計ることができる。
【００２２】
図９は図７に示したキャップ付き容器の変形例を示す斜視図、図１０は図９に示すキャップ付き容器のキャップを裏返し状態で示す斜視図である。なお、容器本体は図３又は図４に示したものと同様である。
【００２３】
このキャップ付き容器Ａ4 は、図７及び図８のキャップ付き容器Ａ3 と比べてキャップ２０の構成が異なっている。すなわち、周囲に設けられる面取り部分２３が一つだけでなく、図示の如く一対の面取り部分２３が周囲の両側に平行状態で設けられており、これらの面取り部分２３の外側にはそれぞれ計量目盛αが付けられている。この計量目盛αが複数箇所に設けられる場合もあることは前記したとおりである。
【００２４】
このキャップ付き容器Ａ4 から中の液体を所定量だけ取り出すには、容器本体１０からキャップ２０を取り外し、裏返したキャップ２０の中に容器本体１０から液体を注ぎ入れる。そして、キャップ内部Ｂ4 に入れた液体の上面が双方の面取り部分２３の計量目盛αに合うように量を調整することにより所定量の液体を入れることができる。この場合、キャップ内部Ｂ4 に入れた液体の上面が平らな面取り部分２３の計量目盛αに沿った見やすい状態になるので、液体の量を正確に計ることができる。しかも、面取り部分２３を一つだけ設けた場合に比べると、計量時の水平度を良好に保てるので、より正確に計ることができる。
【００２５】
図１１は本発明に係るキャップ付き容器の別の例を示す斜視図、図１２は図１１に示すキャップ付き容器のキャップを裏返し状態で示す斜視図、図１３は図１１に示すキャップ付き容器の容器本体を示す斜視図である。
【００２６】
このキャップ付き容器Ａ5 は、液体を収納する容器本体１０とその口部１１に注出部材３０を介して被着される透明なキャップ２０とを備えている。容器本体１０、キャップ２０及び注出部材３０はそれぞれプラスチック成形品であり、注出部材３０は容器本体１０に対して打込み又は螺合により取り付けられ、キャップ２０はその外筒部分２１により注出部材３０に対して螺合により被着されている。すなわち、注出部材３０の上部には外周に雄ねじ３０ａが設けられ、それに対してキャップ２０の外筒部分２１の雌ねじ２１ａが螺合するようになっている。
【００２７】
このタイプのキャップ付き容器は洗剤、柔軟剤、漂白剤等の液体を収納する容器として多用されているもので、容器自体の構造は公知のものである。すなわち、注出部材３０には液溜まり部が設けられ、その液溜まり部の底部に設けた開口の周辺に注出筒３１が立設され、注出筒３１にスリット３１ａが設けられており、容器本体１０に収納されている液体は注出筒３１から注ぎ出され、溢れた液体は液溜まり部の開口から容器本体１０に戻るようになっている。
【００２８】
キャップ２０は、図１２に示すように、本来のキャップ部分を裏側に延長した形状の内筒部分２４を有しており、本来のキャップ部分とこの内筒部分２４とが合わさったスペースが筒状計量部を構成している。このように、外筒部分２１から突き出た本来のキャップ部分に加え、外筒部分２１から反対側に延長した内筒部分２４を設けてあり、キャップ２０を注出部材３０に螺合すると、内筒部分２４が注出部材３０の注出筒３１の回りに位置するようになっている。
【００２９】
このキャップ２０の筒状計量部には、周囲に縦方向に突き出た中空の突条部分２５が設けられている。そして、この突条部分２５の内側はキャップ内部Ｂ5 と繋がっており、キャップ内部Ｂ5 に入れた液体は突条部分２５の内部にも入るようになっている。また、この突条部分２５の外面には計量目盛αが付けられている。なお、図では計量目盛αが一箇所だけであるが、計るべき液体量が複数ある場合には、それらの液体量にそれぞれ対応して複数箇所に計量目盛を設けるようにする。
【００３０】
このキャップ付き容器Ａ5 から中の液体を所定量だけ取り出すには、注出部材３０からキャップ２０を取り外し、裏返したキャップ２０の中に容器本体１０から液体を注ぎ入れる。この時、キャップ内部Ｂ5 に入れた液体は突条部分２５の中にも入り込む。そして、キャップ内部Ｂ5 に入れた液体の上面が突条部分２５の計量目盛αに合うように量を調整することにより所定量の液体を入れることができる。この場合、キャップ内部Ｂ5 に入れた液体の上面が突条部分２５の計量目盛αに沿って見やすい状態になるので、液体の量を正確に計ることができる。
【００３１】
図１４は図１１に示したキャップ付き容器の変形例を示す斜視図、図１５は図１４に示すキャップ付き容器のキャップを裏返し状態で示す斜視図である。なお、容器本体は図１３に示したものと同様である。
【００３２】
このキャップ付き容器Ａ6 は、図１１及び図１２のキャップ付き容器Ａ5 と比べてキャップ２０の構成だけが異なっている。すなわち、キャップ２０には、周囲に縦方向に突き出た中空の突条部分２５が一つだけではなく、図示の如く対称位置に２つ設けられている。そして、これらの突条部分２５の内側はそれぞれキャップ内部Ｂ6 と繋がっており、キャップ内部Ｂ6 に入れた液体は双方の突条部分２５の内部にも入るようになっている。また、これらの突条部分２５の外面にはそれぞれ計量目盛αが付けられている。なお、図では計量目盛αが一箇所だけであるが、計るべき液体量が複数ある場合には、それらの液体量にそれぞれ対応して複数箇所に計量目盛を設けるようにする点については、図１１及び図１２のキャップ付き容器Ａ5 で述べたのと同じである。
【００３３】
このキャップ付き容器Ａ6 から中の液体を所定量だけ取り出すには、注出部材３０からキャップ２０を取り外し、裏返したキャップ２０の中に容器本体１０から液体を注ぎ入れる。この時、キャップ内部Ｂ6 に入れた液体は双方の突条部分２５の中にも入り込む。そして、キャップ内部Ｂ6 に入れた液体の上面が双方の突条部分２５のそれぞれの計量目盛αに合うように量を調整することにより所定量の液体を入れることができる。この場合、キャップ内部Ｂ6 に入れた液体の上面が突条部分２５の計量目盛αに沿った見やすい状態になるので、液体の量を正確に計ることができる。しかも、突条部分２５を一つだけ設けた場合に比べると、計量時の水平度を良好に保てるので、より正確に計ることができる。
【００３４】
図１６は本発明に係るキャップ付き容器の参考例を示す斜視図、図１７は図１６に示すキャップ付き容器のキャップを裏返し状態で示す斜視図である。なお、容器本体は図１３に示したものと同様である。
【００３５】
このキャップ付き容器Ａ7 は、液体を収納する容器本体１０とその口部に注出部材３０を介して被着される透明なキャップ２０を取り付けている。容器本体１０、キャップ２０及び注出部材３０はそれぞれプラスチック成形品であり、前記したものと同様、注出部材３０は容器本体１０に対して打込み又は螺合により取り付けられ、キャップ２０はその外筒部分２１により注出部材３０に対して螺合により被着されている。
【００３６】
キャップ２０は、図１７に示すように、本来のキャップ部分を裏側に延長した形状の内筒部分２４を有しており、本来のキャップ部分とこの内筒部分２４とが合わさったスペースが筒状計量部を構成している。このように、外筒部分２１から突き出た本来のキャップ部分に加え、外筒部分２１から反対側に延長した内筒部分２４を設けてあり、キャップ２０を注出部材３０に螺合すると、内筒部分２４が注出部材３０の注出筒３１の回りに位置するようになっている。
【００３７】
このキャップ２０の筒状計量部には、周囲に面取り部分２６が設けられており、この面取り部分２６の外面には計量目盛αが付けられている。この計量目盛αが複数箇所に設けられる場合もあることは前記したとおりである。
【００３８】
このキャップ付き容器Ａ7 から中の液体を所定量だけ取り出すには、注出部材３０からキャップ２０を取り外し、裏返したキャップ２０の中に容器本体１０から液体を注ぎ入れる。そして、キャップ内部Ｂ7 に入れた液体の上面が面取り部分２６の計量目盛αに合うように量を調整することにより所定量の液体を入れることができる。この場合、キャップ内部Ｂ7 に入れた液体の上面が平らな面取り部分２６の計量目盛αに沿った見やすい状態になるので、液体の量を正確に計ることができる。
【００３９】
図１８は図１６に示したキャップ付き容器の変形例を示す斜視図、図１９は図１８に示すキャップ付き容器のキャップを裏返し状態で示す斜視図である。なお、容器本体は図１３に示したものと同様である。
【００４０】
このキャップ付き容器Ａ8 は、図１６及び図１７のキャップ付き容器Ａ7 と比べてキャップ２０の構成だけが異なっている。すなわち、周囲に設けられる面取り部分２６が一つだけでなく、図示の如く一対の面取り部分２６が周囲の両側に平行状態で設けられており、これらの面取り部分２６の外側にはそれぞれ計量目盛αが付けられている。この計量目盛αが複数箇所に設けられる場合もあることは前記したとおりである。
【００４１】
このキャップ付き容器Ａ8 から中の液体を所定量だけ取り出すには、注出部材３０からキャップ２０を取り外し、裏返したキャップ２０の中に容器本体１０から液体を注ぎ入れる。そして、キャップ内部Ｂ8 に入れた液体の上面が双方の面取り部分２６の計量目盛αに合うように量を調整することにより所定量の液体を入れることができる。この場合、キャップ内部Ｂ8 に入れた液体の上面が平らな面取り部分２６の計量目盛αに沿った見やすい状態になるので、液体の量を正確に計ることができる。しかも、面取り部分２６を一つだけ設けた場合に比べると、計量時の水平度を良好に保てるので、より正確に計ることができる。
【００４２】
以上、本発明の実施の形態について詳細に説明してきたが、本発明によるキャップ付き容器は、上記実施の形態に何ら限定されるものではなく、本発明の趣旨を逸脱しない範囲において種々の変更が可能であることは当然のことである。
【００４３】
例えば、容器の形態については、容器本体と計量用のキャップを備えていさえすれば任意のタイプの容器であってよい。また、キャップについては、外筒部分を有するものに限らず、液体を入れるスペースがありさえすれば任意のタイプのキャップであってよい。
【図面の簡単な説明】
【００４４】
【図１】本発明に係るキャップ付き容器の一例を示す斜視図である。
【図２】図１に示すキャップ付き容器のキャップを裏返し状態で示す斜視図である。
【図３】図１に示すキャップ付き容器の容器本体を示す斜視図である。
【図４】図１に示すキャップ付き容器の容器本体の別の例を示す斜視図である。
【図５】図１に示したキャップ付き容器の変形例を示す斜視図である。
【図６】図５に示すキャップ付き容器のキャップを裏返し状態で示す斜視図である。
【図７】本発明に係るキャップ付き容器の参考例を示す斜視図である。
【図８】図７に示すキャップ付き容器のキャップを裏返し状態で示す斜視図である。
【図９】図７に示したキャップ付き容器の変形例を示す斜視図である。
【図１０】図９に示すキャップ付き容器のキャップを裏返し状態で示す斜視図である。
【図１１】本発明に係るキャップ付き容器の別の例を示す斜視図である。
【図１２】図１１に示すキャップ付き容器のキャップを裏返し状態で示す斜視図である。
【図１３】図１１に示すキャップ付き容器の容器本体を示す斜視図である。
【図１４】図１１に示したキャップ付き容器の変形例を示す斜視図である。
【図１５】図１４に示すキャップ付き容器のキャップを裏返し状態で示す斜視図である。
【図１６】本発明に係るキャップ付き容器の参考例を示す斜視図である。
【図１７】図１６に示すキャップ付き容器のキャップを裏返し状態で示す斜視図である。
【図１８】図１６に示したキャップ付き容器の変形例を示す斜視図である。
【図１９】図１８に示すキャップ付き容器のキャップを裏返し状態で示す斜視図である。
【符号の説明】
【００４５】
Ａ1 〜Ａ8   キャップ付き容器
Ｂ1 〜Ｂ8   キャップ内部
α  計量目盛
１０  容器本体
１１  口部
１１ａ  雄ねじ
１２  中栓パーツ
１２ａ  注ぎ口
２０  キャップ
２１  外筒部分
２１ａ  雌ねじ
２２  突条部分
２３  面取り部分
２４  内筒部分
２５  突条部分
２６  面取り部分
３０  注出部材
３１  注出筒
３１ａ  スリット
【図１】
0004662270.tif 000002
【図２】
0004662270.tif 000003
【図３】
0004662270.tif 000004
【図４】
0004662270.tif 000005
【図５】
0004662270.tif 000006
【図６】
0004662270.tif 000007
【図７】
0004662270.tif 000008
【図８】
0004662270.tif 000009
【図９】
0004662270.tif 000010
【図１０】
0004662270.tif 000011
【図１１】
0004662270.tif 000012
【図１２】
0004662270.tif 000013
【図１３】
0004662270.tif 000014
【図１４】
0004662270.tif 000015
【図１５】
0004662270.tif 000016
【図１６】
0004662270.tif 000017
【図１７】
0004662270.tif 000018
【図１８】
0004662270.tif 000019
【図１９】
0004662270.tif 000020